(57)【特許請求の範囲】
【請求項１】
Ｌ型のプラグ本体と、前記プラグ本体の一端から突出するプラグピンと、前記プラグ本体の他端から伸びるコードと、からなるＬ型ＤＣプラグに取り付けて使用されるＬ型ＤＣプラグ保護具であって、
前記プラグ本体に取り付けられるケース部と、
前記プラグ本体の屈曲部の位置から前記プラグ本体に対して離れる方向に突出するように前記ケース部の外側面に設けられ、弾性変形可能な柱状かつ中空の緩衝部と、
を備えることを特徴とするＬ型ＤＣプラグ保護具。
【請求項２】
前記緩衝部は、前記プラグピンと同軸上に位置していることを特徴とする請求項１に記載のＬ型ＤＣプラグ保護具。
【請求項３】
前記Ｌ型ＤＣプラグ保護具は、第１保護具と第２保護具とからなり、
前記第１保護具と前記第２保護具には、前記ケース部と前記緩衝部とがそれぞれ備わっていることを特徴とする請求項１または２に記載のＬ型ＤＣプラグ保護具。
【請求項４】
前記第１保護具と前記第２保護具とは連結部によってつながっており、
前記第１保護具と前記第２保護具には互いを固定する固定部が形成されていることを特徴とする請求項１から３の何れか一項に記載のＬ型ＤＣプラグ保護具。
【請求項５】
前記第１保護具と前記第２保護具には互いの位置を合わせておく位置決め部が形成されていることを特徴とする請求項４に記載のＬ型ＤＣプラグ保護具。
【請求項６】
前記位置決め部は、前記ケース部と前記緩衝部とにそれぞれ形成されていることを特徴とする請求項５に記載のＬ型ＤＣプラグ保護具。
【請求項７】
前記緩衝部は、柱側面の断面形状が波状であることを特徴とする請求項１から６の何れか一項に記載のＬ型ＤＣプラグ保護具。
【請求項８】
前記緩衝部は、柱底面に前記プラグピンと同軸上に貫通孔が形成されていることを特徴とする請求項１から６の何れか一項に記載のＬ型ＤＣプラグ保護具。
【請求項９】
前記緩衝部は、柱底面に前記プラグピンと同軸上に貫通孔が形成されるとともに、
前記連結部にも貫通孔が形成されていることを特徴とする請求項４に記載のＬ型ＤＣプラグ保護具。
【発明の詳細な説明】
【技術分野】
【０００１】
本発明は、携帯機器に内蔵された電池の充電器として、或いは携帯機器の電源装置として用いられるＡＣアダプタの出力側となるＬ型ＤＣプラグ及びＬ型ＤＣプラグに取り付けて使用されるＬ型ＤＣプラグ保護具に関する。
【背景技術】
【０００２】
携帯可能なゲーム機やタブレット等の携帯機器では、機器に内蔵された電池の充電器として、或いは携帯機器の直接の電源装置としてＡＣアダプタが用いられる。このＡＣアダプタと携帯機器との接続は、通常ＡＣアダプタの出力側プラグを携帯機器の側面に設けられたジャックに差し込むことにより行われる。
【０００３】
ＡＣアダプタの出力側プラグとして、所謂ストレート型の形状の他に特許文献１に記載されているＬ字状の形状をしたプラグが知られている。そして、携帯機器に用いられるＡＣアダプタの出力側プラグとしては、Ｌ字状のプラグであるＬ型ＤＣプラグが比較的よく用いられている。
【０００４】
図５は携帯機器であるタブレット１００にこのＬ型ＤＣプラグを差し込む際の概念図である。図５に示すようにタブレット１００の側面には、機器内部の基板に半田付けされたジャック１０１がプラグ差込孔を露出させて設けられている。そして、このジャック１０１にはＡＣアダプタ２００の出力側となるＬ型ＤＣプラグ２０１が差し込まれる。
【先行技術文献】
【特許文献】
【０００５】
【特許文献１】特開２００２−２１６８８５号公報
【発明の概要】
【発明が解決しようとする課題】
【０００６】
通常、タブレット１００のような携帯機器はＬ型ＤＣプラグ２０１が差し込まれた状態でも使用することができるため、とくに室内で使用するような場合、タブレット１００にＬ型ＤＣプラグ２０１が差し込まれた状態で使用されることも多い。そして、とくに小さな子供がゲームに夢中になると、タブレット１００を床やテーブルの上に落してしまうことがよくおこる。
【０００７】
図６は、タブレット１００がテーブルＴの上に落下した時の概念図である。図６に示すように、Ｌ型ＤＣプラグ２０１が差し込まれている側からタブレット１００がテーブルＴ上に落下すると、Ｌ型ＤＣプラグ２０１の屈曲部が落下の衝撃を全て受けることになる。そして、Ｌ型ＤＣプラグ２０１に強い衝撃が加わると、Ｌ型ＤＣプラグを構成する金属製プラグがタブレット１００側へと押し込まれるような状態となり、タブレット１００側のジャック１０１にその衝撃を与えることになる。そのため、ジャック１０１とジャック１０１が接続され基板との接続部が破損したりする等、タブレット１００の破損につながるおそれがある。
【０００８】
通常プラグには蛇腹状の部分があり、ＡＣアダプタ２００の出力側プラグがストレート型のものであれば、この蛇腹状の部分で落下の衝撃をある程度吸収することができる。そのため、プラグを差し込んだ状態のタブレットを落としたとしても、ストレート型ＤＣプラグではジャックと接続基板との接続部が破損するというような可能性は低い。
【０００９】
しかしながら、Ｌ型ＤＣプラグ２０１の場合には、屈曲部で直接衝撃を受けてしまい、衝撃を吸収することができないので、ジャックと接続基板との接続部が破損する可能性が高い。
【００１０】
本発明は、上述の課題を解決するためになされたものであり、Ｌ型ＤＣプラグが差し込まれた状態の携帯機器が落下した場合に、Ｌ型ＤＣプラグに加わった衝撃による携帯機器の破損を防止するためのＬ型ＤＣプラグに取り付けて使用されるＬ型ＤＣプラグ保護具を提供することを目的とする。
【課題を解決するための手段】
【００１１】
上記目的を達成するため、本発明のＬ型ＤＣプラグ保護具は、Ｌ型のプラグ本体と、前記プラグ本体の一端から突出するプラグピンと、前記プラグ本体の他端から伸びるコードと、からなるＬ型ＤＣプラグに取り付けて使用されるＬ型ＤＣプラグ保護具であって、前記プラグ本体に取り付けられるケース部と、前記プラグ本体の屈曲部の位置から前記プラグ本体に対して離れる方向に突出するように前記ケース部の外側面に設けられ、弾性変形可能な柱状かつ中空の緩衝部と、を備えることを特徴とする。
【００１２】
本発明のＬ型ＤＣプラグ保護具によれば、Ｌ型ＤＣプラグが差し込まれた状態で携帯機器が使用され、この携帯機器が落下した場合、緩衝部によってＬ型ＤＣプラグに直接大きな落下の衝撃が加わることを防ぐことができ、Ｌ型ＤＣプラグに加わった衝撃による携帯機器の破損を防止することができる。
【００１３】
また、本発明のＬ型ＤＣプラグ保護具は、前記緩衝部が、前記プラグピンと同軸上に位置していることを特徴とする。
【００１４】
本発明のＬ型ＤＣプラグ保護具によれば、落下の衝撃を緩衝部でより確実に吸収することができる。
【００１５】
また、本発明のＬ型ＤＣプラグ保護具は、第１保護具と第２保護具とからなり、前記第１保護具と前記第２保護具には、前記ケース部と前記緩衝部とがそれぞれ備わっていることを特徴とする。
【００１６】
本発明のＬ型ＤＣプラグ保護具によれば、Ｌ型ＤＣプラグ保護具を一つの部品で構成する場合に比べ、Ｌ型ＤＣプラグ保護具がＬ型ＤＣプラグから外れ難く、またＬ型ＤＣプラグへの取り付けも容易に行うことができる。
【００１７】
また、本発明のＬ型ＤＣプラグ保護具は、前記第１保護具と前記第２保護具とは連結部によってつながっており、前記第１保護具と前記第２保護具には互いを固定する固定部が形成されていることを特徴とする。
【００１８】
本発明のＬ型ＤＣプラグ保護具によれば、Ｌ型ＤＣプラグへ簡単に取り付けることができる。
【００１９】
また、本発明のＬ型ＤＣプラグ保護具は、前記第１保護具と前記第２保護具には互いの位置を合わせておく位置決め部が形成されていることを特徴とする。
【００２０】
本発明のＬ型ＤＣプラグ保護具によれば、大きな衝撃が加わったような場合でも、第１保護具と第２保護具とが簡単に位置ズレしてしまうようなことを防ぐことができる。
【００２１】
また、本発明のＬ型ＤＣプラグ保護具は、前記位置決め部が、前記ケース部と前記緩衝部とにそれぞれ形成されていることを特徴とする。
【００２２】
本発明のＬ型ＤＣプラグ保護具によれば、大きな衝撃が加わったような場合でも、第１保護具と第２保護具とが簡単に位置ズレしてしまうようなことをより確実に防ぐことができる。
【００２３】
また、本発明のＬ型ＤＣプラグ保護具において、前記緩衝部は、柱側面の断面形状が波状であることを特徴とする。
【００２４】
本発明のＬ型ＤＣプラグ保護具によれば、緩衝部の弾性が高まり落下の衝撃をより一層吸収することができる。
【００２５】
また、本発明のＬ型ＤＣプラグ保護具において、前記緩衝部は、柱底面に前記プラグピンと同軸上に貫通孔が形成されていることを特徴とする。
【００２６】
本発明のＬ型ＤＣプラグ保護具によれば、ケース部と緩衝部とが貫通孔を関して内部で連通しており、また、貫通孔を介して外部とも連通することになるため、万が一Ｌ型ＤＣプラグ保護具を飲み込んだ場合に、通気を確保することができる。
【００２７】
また、本発明のＬ型ＤＣプラグ保護具において、前記緩衝部は、柱底面に前記プラグピンと同軸上に貫通孔が形成されるとともに、前記連結部にも貫通孔が形成されていることを特徴とする。
【００２８】
本発明のＬ型ＤＣプラグ保護具によれば、ケース部と緩衝部とが貫通孔を関して内部で連通しており、また、緩衝部の貫通孔と連結部の貫通孔を介して外部とも連通することになるため、万が一Ｌ型ＤＣプラグ保護具を飲み込んだ場合に、より一層通気を確保することができる。
【図面の簡単な説明】
【００３１】
【図１】図１（Ａ）は実施形態１にかかるＬ型ＤＣプラグ保護具をＬ型ＤＣプラグに取り付けた状態の前方側斜視図であり、図１（Ｂ）はこのＬ型ＤＣプラグ保護具を展開した状態の前方側斜視図である。
【図２】図２（Ａ）は実施形態１にかかるＬ型ＤＣプラグ保護具をＬ型ＤＣプラグに取り付けた状態の後方側斜視図であり、図２（Ｂ）はこのＬ型ＤＣプラグ保護具を展開した状態の後方側斜視図である。
【図３】図３（Ａ）は実施形態１にかかるＬ型ＤＣプラグ保護具を展開した内側正面図であり、図３（Ｂ）はこのＬ型ＤＣプラグ保護具を展開した外側正面図である。
【図４】実施形態２にかかるＬ型ＤＣプラグの側面図である。
【図５】携帯機器であるタブレットにＬ型ＤＣプラグを差し込む際の一般的な概念図である。
【図６】携帯機器であるタブレットがテーブルの上に落下した時の一般的な概念図である。
【発明を実施するための形態】
【００３２】
以下、本発明の実施形態を図面を用いて説明する。ただし、以下に示す実施形態は、本発明の技術思想を具体化するための一例を示すものであり、本発明をこの実施形態に特定することを意図するものではない。本発明は、特許請求の範囲に含まれるその他の実施形態にも適応できるものである。
【００３３】
［実施形態１］
図１（Ａ）は本発明の実施形態１にかかるＬ型ＤＣプラグ保護具２０をＬ型ＤＣプラグ１に取り付けた状態の前方側斜視図であり、図１（Ｂ）はこのＬ型ＤＣプラグ保護具２０を展開した状態の前方側斜視図である。また、図２（Ａ）は本発明の実施形態にかかるＬ型ＤＣプラグ保護具２０をＬ型ＤＣプラグ１に取り付けた状態の後方側斜視図であり、図１（Ｂ）はこのＬ型ＤＣプラグ保護具２０を展開した状態の後方側斜視図である。また、図３（Ａ）はＬ型ＤＣプラグ保護具２０を展開した内側正面図であり、図３（Ｂ）はＬ型ＤＣプラグ保護具２０を展開した外側正面図である。なお、本実施形態は、後述するプラグピン１２側を前方側とし、後述する緩衝部２３側を後方側としている。
【００３４】
ここで、Ｌ型ＤＣプラグ１は、ＡＣアダプタの出力側のプラグとして一般的に用いられているものである。Ｌ型ＤＣプラグ１は、Ｌ型のプラグ本体１１、プラグ本体１１の一端から突出するプラグピン１２と、プラグ本体１１の他端から伸びるコード１３と、から構成されている。
【００３５】
プラグ本体１１は、ポリ塩化ビニール等からなる比較的軟質な屈曲部Ｃで折れ曲がるＬ字状の絶縁性樹脂部材である。プラグピン１２は、プラグ本体１１の一端においてプラグ本体１１内から伸びる円筒状の金属部材である。このプラグピン１２が、図示しない携帯機器の側面に設けられたジャックに挿入される。コード１３は、プラグ本体１１の他端側から伸びており、プラグ本体１１内でプラグピン１２に接続される金属線を絶縁性樹脂で被覆したものである。そして、このコード１３は、図示しないＡＣアダプタの本体部へとつながっている。ＡＣアダプタの本体部は、変圧回路や整流回路や安定化電源回路等を内部に収めており、またコンセントへ差し込まれる差込プラグを備える。また、プラグ本体１１のコード１３側は蛇腹部１１ａとなっており、Ｌ型ＤＣプラグ１は蛇腹部１１ａによりプラグ本体１１とコード１３との接続位置を保護する構造になっている。
【００３６】
以上のようなＬ型ＤＣプラグ１に取り付けて使用されるＬ型ＤＣプラグ保護具２０は、第１保護具２０ａと第２保護具２０ｂの二つの部品で構成されている。
【００３７】
第１保護具２０ａと第２保護具２０ｂは比較的柔らかいナイロン等の樹脂からなる成形品である。また、第１保護具２０ａと第２保護具２０ｂとは、一体整形されたヒンジ状の連結部２１を介して図３に示すようにつながっている。
【００３８】
第１保護具２０ａには、Ｌ型ＤＣプラグ１のプラグ本体１１を覆うケース部２２を形成するケース部２２ａと、プラグ本体１１の屈曲部Ｃに位置する緩衝部２３を形成する緩衝部２３ａと、が備わっている。
【００３９】
また、同様に第２保護具２０ｂには、プラグ本体１１を覆うケース部２２を形成するケース部２２ｂと、プラグ本体１１の屈曲部Ｃに位置する緩衝部２３を形成する緩衝部２３ｂと、が備わっている。
【００４０】
ケース部２２ａとケース部２２ｂとで構成されるケース部２２は、第１保護具２０ａと第２保護具２０ｂとをプラグ本体１１を覆うように固定した際に、内部が空洞のＬ字状の部材を形成する構成となっている。ケース部２２ａとケース部２２ｂの内側は、プラグ本体１１の形状に合わせて形成されており、ケース部内に収容されたプラグ本体１１と接し、プラグ本体１１を固定する。そして、図１（Ａ）に示すように、プラグピン１２とコード１３がケース部２２から露出する。
【００４１】
また、Ｌ型ＤＣプラグ１の屈曲部Ｃの内側に対応する位置において、ケース部２２ａには嵌合凸部２４ａが、ケース部２２ｂには嵌合凹部２４ｂがそれぞれ形成されている。この嵌合凸部２４ａと嵌合凹部２４ｂは、第１保護具２０ａと第２保護具２０ｂとを固定した時の位置を合わせておくケース部位置決め部２４を構成する。このケース部位置決め部２４によりＬ型ＤＣプラグ保護具２０は、大きな衝撃が加わった際、第１保護具２０ａと第２保護具２０ｂとが簡単に位置ズレしてしまうようなことを防ぐことができる。
【００４２】
また、第１保護具２０ａと第保護具２０ｂには互いを固定するための固定部２５が、ケース部２２ａ、ケース部２２ｂとにそれぞれ形成されている。固定部２５は、連結部２１から離れた位置に形成されており、具体的にはプラグ本体１１の蛇腹部１１ａの位置に形成されている。また、固定部２５は、係合構造となるようケース部２２ａに形成された二つのフック部２５ａと、ケース部２２ｂに形成された二つのループ部２５ｂとで構成されている。そして、Ｌ型ＤＣプラグ保護具２０は、連結部２１を中心に折り曲げた第１保護具２０ａと第２保護具２０ｂとを接触させ、フック部２５ａとループ部２５ｂとを係合することによって、プラグ本体１１を覆う構造となっている。このように、Ｌ型ＤＣプラグ保護具２０は、固定部２５により第１保護具２０ａと第２保護具２０ｂとを簡単に固定することができる。また、固定部２５を図示のような係合構造とすることにより、Ｌ型ＤＣプラグ保護具２０は、ネジ等他の部品を使って固定する場合に比べ簡単に第１保護具２０ａと第２保護具２０ｂとを固定することができる。
【００４３】
緩衝部２３ａと緩衝部２３ｂとで構成される緩衝部２３は、第１保護具２０ａと第２保護具２０ｂとをプラグ本体１１を覆うように固定した際に、内部が空洞の円柱状の部材を形成する構成となっている。この時の緩衝部２３は、外側に位置する円形の底面Ｂ１と、内側に位置する円形の底面Ｂ２と、側面Ｓと、で形成された円柱状となっている。なお、ケース部２２と緩衝部２３とは一体成形されたものなので、底面Ｂ２をケース部２２の一部と定義しても構わない。
【００４４】
また、緩衝部２３は、プラグ本体１１の屈曲部Ｃの後方側に位置している。より具体的には、緩衝部２３は、円柱の緩衝部２３の底面Ｂ１と底面Ｂ２の中心と、図２（Ｂ）の矢印Ａで示したプラグピン１２の軸中心とが同軸上に位置するよう形成されている。
【００４５】
このように、Ｌ型ＤＣプラグ保護具２０が緩衝部２３を備えることによって、図６に示したような状況、つまりタブレット１００等の携帯機器の側面にＬ型ＤＣプラグ１が差し込まれた状態でタブレット１００が落下したような場合、Ｌ型ＤＣプラグ保護具２０は緩衝部２３によって落下の衝撃を吸収することができる。
【００４６】
したがって、Ｌ型ＤＣプラグ１にＬ型ＤＣプラグ保護具２０を取り付けておくことで、Ｌ型ＤＣプラグ保護具２０は、Ｌ型ＤＣプラグ１が差し込まれた状態の携帯機器が落下した場合に、Ｌ型ＤＣプラグ１に直接大きな落下の衝撃が加わることを防止し、Ｌ型ＤＣプラグ１に加わった衝撃による携帯機器の破損を防ぐことができる。
【００４７】
また、本実施形態において、緩衝部２３がプラグピン１２の軸中心と同軸上に位置しているため、緩衝部２３が、例えば蛇腹部１１ａに位置するような場合に比べ、落下の衝撃を効果的に吸収することができる。
【００４８】
また、本実施形態において、円柱状の緩衝部２３は、外側の底面Ｂ１と内側の底面Ｂ２とを備えることで、プラグピン１２の軸中心方向において底面が二重に位置する構成となっている。この場合、外側の底面Ｂ１は、落下の際に直接床等と接触するため底面Ｂ１と側面Ｓとで形成される領域で落下の衝撃を吸収することになる。一方、内側の底面Ｂ２は、プラグピン１２を図示しないジャックに挿入する際に、プラグピン１２の挿入方向におけるプラグ本体１１の支えとして機能する。したがって、Ｌ型ＤＣプラグ保護具２０を取り付けたＬ型ＤＣプラグ１をジャックに挿入する際に、底面Ｂ２によってプラグ本体１１が緩衝部２３側に逃げてしまわないので、Ｌ型ＤＣプラグ保護具２０はＬ型ＤＣプラグの挿入作業を妨げない。
【００４９】
また、緩衝部２３ａの内側には位置決め突起２６ａが底面Ｂ１と底面Ｂ１とにそれぞれ形成され、緩衝部２３ｂの内側にも位置決め突起２６ｂが底面Ｂ１と底面Ｂ２とにそれぞれ形成されている。位置決め突起２６ａと位置決め突起２６ｂとは、第１保護具２０ａと第２保護具２０ｂとを固定した時の緩衝部位置決め部２６を構成する。この緩衝部位置決め部２６によりＬ型ＤＣプラグ保護具２０は、大きな衝撃が加わった際、第１保護具２０ａと第２保護具２０ｂとが簡単に位置ズレしてしまうようなことを防ぐことができる。なお、緩衝部位置決め部２６は、緩衝部２３ａと緩衝部２３ｂのどちらか一方にだけ形成する構成でも構わない。
【００５０】
また、緩衝部２３の側面Ｓは、図３に示すように断面の形状が波状になっている。したがって、緩衝部２３には更に弾性が付与されることになり、より効果的に落下の衝撃を吸収することができる。
【００５１】
また、緩衝部２３の底面Ｂ１と底面Ｂ２には、プラグピン１２の軸中心と同軸上にそれぞれ円形の貫通孔２７、２８が形成されている。したがって、Ｌ型ＤＣプラグ保護具２０は、ケース部２２と緩衝部２３とが貫通孔２８を関して内部で連通しており、また、貫通孔２７を介して外部とも連通している。Ｌ型ＤＣプラグ保護具２０は、Ｌ型ＤＣプラグ１程度の小さな部品である。そのため、Ｌ型ＤＣプラグ１に取り付けていない場合には、小さな子供が誤ってＬ型ＤＣプラグ保護具２０を飲み込んでしまう可能性が考えられる。仮に誤ってＬ型ＤＣプラグ保護具２０を飲み込んで詰まらせてしまった場合に、貫通孔２７、２８によってＬ型ＤＣプラグ保護具２０の内外を連通しておくことにより、通気を確保することができる。なお、図３（Ａ）に示すように連結部２１にも貫通孔２９を形成しておくことで、Ｌ型ＤＣプラグ保護具２０は、より一層通気の領域を増やしている。
【００５２】
以上のように、本実施形態のＬ型ＤＣプラグ保護具２０は、Ｌ型ＤＣプラグ１に取り付けて用いることにより、Ｌ型ＤＣプラグ１が差し込まれた状態の携帯機器において、携帯機器が落下した場合、緩衝部２３によってＬ型ＤＣプラグ１に直接大きな落下の衝撃が加わることを防止し、Ｌ型ＤＣプラグ１に加わった衝撃による携帯機器の破損を防ぐことができる。
【００５３】
なお、本実施形態において緩衝部２３は、プラグ本体１１の屈曲部Ｃの後方側に位置し、プラグピン１２と同軸上に位置するように形成されているものであったが、屈曲部Ｃ全体を覆うような構成のものでも構わない。
【００５４】
また、緩衝部２３は、内部が空洞の円柱状の部材を形成する構成となっているが、この構成に限定されるものではなく、角柱状の部材を形成する構成でも構わない。
【００５５】
また、Ｌ型ＤＣプラグ保護具２０は、第１保護具２０ａと第２保護具２０ｂの二つの部品で構成し、プラグ本体１１を側面両側から包み込むように挟持することで落下の衝撃で簡単に外れないようにしているが、一つの部品で形成しても構わない。例えば、Ｌ型ＤＣプラグ保護具２０は、プラグ本体１１の側面片側からはめ込むような構成のものでも構わない。
【００５６】
［実施形態２］
実施形態１は、Ｌ型ＤＣプラグ１に取り付けて使用されるＬ型ＤＣプラグ保護具２０であった。一方、実施形態２のＬ型ＤＣプラグ１Ａは、緩衝部２３Ａを備える緩衝部２３Ａ付きのＬ型ＤＣプラグ１Ａとなっている。実施形態２のＬ型ＤＣプラグ１Ａについて、図を用いて詳細に説明する。図４は本実施形態にかかるＬ型ＤＣプラグ１Ａの側面図である。
【００５７】
Ｌ型ＤＣプラグ１Ａは、基本的な構成については実施形態１の説明の際に記載した一般的Ｌ型ＤＣプラグ１と同じであり、プラグ本体１１Ａ、プラグ本体１１Ａの一端から突出するプラグピン１２Ａと、プラグ本体１１Ａの他端から伸びるコード１３Ａと、から構成されている。そして、プラグ本体１１Ａは、ポリ塩化ビニール等からなる比較的軟質な絶縁性樹脂部材である。プラグピン１２Ａは、プラグ本体１１Ａの一端においてプラグ本体１１Ａ内から伸びる円筒状の金属部材である。このプラグピン１２Ａが、図示しない携帯機器の側面に設けられたジャックに挿入される。コード１３Ａは、プラグ本体１１の他端側から伸びており、プラグ本体１１Ａ内でプラグピン１２Ａに接続される金属線を絶縁性樹脂で被覆したものである。そして、このコード１３Ａは、図示しないＡＣアダプタの本体部へとつながっている。また、プラグ本体１１Ａのコード１３Ａ側は蛇腹部１１ａＡとなっており、Ｌ型ＤＣプラグ１Ａは蛇腹部１１ａＡによりプラグ本体１１Ａとコード１３Ａとの接続位置を保護する構造になっている。
【００５８】
以上のような構成において、Ｌ型ＤＣプラグ１Ａは更に、プラグ本体１１Ａに一体成形された緩衝部２３Ａを備えている。この緩衝部２３Ａは、プラグピン１２Ａの軸中心と同軸上に位置するような円柱状に形成されている。
【００５９】
このような緩衝部２３Ａをプラグ本体１１Ａの屈曲部に設けておくことによっても、Ｌ型ＤＣプラグ１Ａが差し込まれた状態の携帯機器において、携帯機器が落下した場合、緩衝部２３ＡによってＬ型ＤＣプラグ１Ａに加わる衝撃を低減することができ、プラグピン１３Ａへ加わった衝撃によるジャックと接続基板と破損等を防止することができる。また、円柱状の緩衝部２３Ａは、衝撃を吸収しやすくするため図４に示すような蛇腹状に形成しておくことができる。
【符号の説明】
【００６０】
１、１Ａ、２０１…Ｌ型ＤＣプラグ
１１、１１Ａ…プラグ本体
１１ａ、１１ａＡ…蛇腹部
１２、１２Ａ…プラグピン
１３、１３Ａ…コード
２０…Ｌ型ＤＣプラグ保護具
２０ａ…第１保護具
２０ｂ…第２保護具
２１…連結部
２２、２２ａ、２２ｂ…ケース部
２３、２３ａ、２３ｂ、２３Ａ…緩衝部
２４…ケース部位置決め部
２４ａ…嵌合凸部
２４ｂ…嵌合凹部
２５…固定部
２５ａ…フック部
２５ｂ…ループ部
２６…緩衝部位置決め部
２６ａ、２６ｂ…位置決め突起
２７、２８、２９…貫通孔
１００…タブレット
１０１…ジャック
２００…ＡＣアダプタ
【図１】
0006393121.tif 000002
【図２】
0006393121.tif 000003
【図３】
0006393121.tif 000004
【図４】
0006393121.tif 000005
【図５】
0006393121.tif 000006
【図６】
0006393121.tif 000007